(57)【要約】【課題】ストロボ装置の接続不良を明確に知らせることのできる撮像装置を提供する。【解決手段】接続されるストロボ装置との間で情報の交信を行う為の第１端子ＣＬＫ，ＤＣＳ、ＤＳＣ、ＧＮＤと、ストロボ装置に発光開始信号を送信する為の第２端子Ｘと、表示手段１０１と、第２端子を介して前記ストロボ装置に発光開始信号を送信して、当該撮像装置と前記ストロボ装置との間の接続確認処理を実行する制御手段１００とを有し、制御手段が、接続確認処理の結果、接続不良を検知した場合は、表示手段にて警告表示を行うとともに、予め規定された接続不良警告動作を行う。【選択図】図１
2009145713.tif 000002
【特許請求の範囲】
【請求項１】
接続されるストロボ装置との間で情報の交信を行う為の第１端子と、
前記ストロボ装置に発光開始信号を送信する為の第２端子と、
表示手段と、
前記第２端子を介して前記ストロボ装置に発光開始信号を送信して、当該撮像装置と前記ストロボ装置との間の接続確認処理を実行する制御手段とを有する撮像装置において、
前記制御手段は、前記接続確認処理の結果、接続不良を検知した場合は、前記表示手段にて警告表示を行うとともに、予め規定された接続不良警告動作を行うことを特徴とする撮像装置。
【請求項２】
前記接続不良警告動作とは、前記第１端子を介しての情報の交信を中止することであることを特徴とする請求項１に記載の撮像装置。
【請求項３】
前記接続不良警告動作とは、前記第２端子を介して前記ストロボ装置と交信を行い、前記ストロボ装置にて接続不良の警告を示す動作を行わせることを特徴とする請求項１に記載の撮像装置。
【請求項４】
前記ストロボ装置にて接続不良の警告を示す動作とは、照射角変更動作を繰り返すことであることを特徴とする請求項３に記載の撮像装置。
【請求項５】
前記ストロボ装置にて接続不良の警告を示す動作とは、発光動作を繰り返すことであることを特徴とする請求項３に記載の撮像装置。
【請求項６】
前記接続確認処理は、当該撮像装置の起動毎に行うことを特徴とする請求項１ないし５のいずれかに記載の撮像装置。
【請求項７】
前記接続確認処理は、当該撮像装置の撮影準備開始スイッチが操作される毎に行うことを特徴とする請求項１ないし５のいずれかに記載の撮像装置。
【請求項８】
前記接続確認処理は、当該撮像装置に前記ストロボ装置が装着される毎に行うことを特徴とする請求項１ないし５のいずれかに記載の撮像装置。
【請求項９】
接続されるストロボ装置との間で情報の交信を行う為の第１端子と、前記ストロボ装置に発光開始信号を送信する為の第２端子と、表示手段とを有する撮像装置の制御方法であって、
前記第２端子を介して前記ストロボ装置に発光開始信号を送信して、前記撮像装置と前記ストロボ装置との間の接続確認処理を実行し、該接続確認処理の結果、接続不良を検知した場合は、前記表示手段に警告表示を行わせるとともに、予め規定された接続不良警告動作を行わせることを特徴とする撮像装置の制御方法。
【発明の詳細な説明】
【技術分野】
【０００１】
本発明は、ストロボ装置が接続可能な撮像装置および撮像装置の制御方法に関するものである。
【背景技術】
【０００２】
カメラとストロボ装置との通信端子として、交信用端子と発光開始信号伝達用端子の二つの通信端子を有する。そして、発光開始信号伝達用端子を介して通信テスト信号を送受信することで、該発光開始信号伝達用端子の接続状態を確認するカメラシステムが知られている（特許文献１）。
【０００３】
この種の従来のカメラシステムにおいては、接続不良が確認された後も交信用端子を介して通信は継続されていた。また、接続不良が確認された場合、それを撮影者に警告する手段として、ストロボ発光可能情報の表示が用いられていた。
【特許文献１】特開２００５−２８３６３６号公報
【発明の開示】
【発明が解決しようとする課題】
【０００４】
しかしながら、上記の従来技術だけでは、以下のような課題を有していた。発光開始信号伝達用端子の接続不良が確認された後にも、交信用端子を介する通信によって、絞り、焦点距離情報等のカメラ（レンズも含む）側の設定情報がストロボ装置側に送信されていた。そのため、ストロボ装置の表示部には上記の情報に基づく該ストロボ装置側での設定に関する情報が表示されていた。
【０００５】
また、ストロボ発光可能情報の表示による撮影者への接続不良状態の警告では、撮影者によっては該警告を見逃してしまう可能性があった。
【０００６】
（発明の目的）
本発明の目的は、ストロボ装置の接続不良を明確に知らせることのできる撮像装置および撮像装置の制御方法を提供しようとするものである。
【課題を解決するための手段】
【０００７】
上記目的を達成するために、本発明は、接続されるストロボ装置との間で情報の交信を行う為の第１端子と、前記ストロボ装置に発光開始信号を送信する為の第２端子と、表示手段と、前記第２端子を介して前記ストロボ装置に発光開始信号を送信して、当該撮像装置と前記ストロボ装置との間の接続確認処理を実行する制御手段とを有する撮像装置において、前記制御手段が、前記接続確認処理の結果、接続不良を検知した場合は、前記表示手段にて警告表示を行うとともに、予め規定された接続不良警告動作を行う撮像装置とするものである。
【０００８】
同じく上記目的を達成するために、本発明は、接続されるストロボ装置との間で情報の交信を行う為の第１端子と、前記ストロボ装置に発光開始信号を送信する為の第２端子と、表示手段とを有する撮像装置の制御方法であって、前記第２端子を介して前記ストロボ装置に発光開始信号を送信して、前記撮像装置と前記ストロボ装置との間の接続確認処理を実行し、該接続確認処理の結果、接続不良を検知した場合は、前記表示手段に警告表示を行わせるとともに、予め規定された接続不良警告動作を行わせる撮像装置の制御方法とするものである。
【発明の効果】
【０００９】
本発明によれば、ストロボ装置の接続不良を明確に知らせることができる撮像装置または撮像装置の制御方法を提供できるものである。
【発明を実施するための最良の形態】
【００１０】
本発明を実施するための最良の形態は、以下の実施例１ないし３に示す通りである。
【実施例１】
【００１１】
図１は本発明の実施例１に係る撮像装置であるカメラ本体およびストロボ装置より成るカメラシステムの概略構成を示す構成図である。
【００１２】
カメラ本体には、カメラの各種制御を行うカメラマイコン１００、カメラのモード等を表示する表示部１０１および後述のシンクロ端子（Ｘ端子）をＯＮする為のスイッチ１０２を有する。さらには、ストロボ装置が装着され、通信によりデータを送受する為の通信端子を備えた通信接続部１１０を有する。
【００１３】
カメラ本体とストロボ装置との通信は、通信接続部１１０の通信用端子を経由して行う。本実施例１では、後述する交信用端子と発光開始信号伝達用端子とが個別に独立している構成のカメラ本体とストロボ装置を想定する。通信端子部１１０は交信用端子と発光開始信号伝達用端子の２種の通信用端子と、ストロボ装置を接続する為の装着スロットによって構成される。
【００１４】
上記通信接続部１１０に具備される交信用端子として、カメラマイコン１００のＣＬＫ１端子からストロボ装置マイコン２００のＣＬＫ２端子へデータ通信用のクロック信号を送信するＣＬＫ端子を有する。さらには、クロック信号に同期して後述のストロボ装置マイコン２００のＤＳＣ２端子からカメラマイコン１００のＤＳＣ１端子にデータを送信するＤＳＣ端子を有する。さらには、カメラマイコン１００のＤＣＳ１端子からストロボ装置マイコン２００のＤＣＳ２端子にデータを送信するＤＣＳ端子を有する。さらには、カメラマイコン１００のＧＮＤ１端子とストロボ装置マイコン２００のＧＮＤ２端子を接続するＧＮＤ端子を有する。また、発光開始信号伝達用端子として、ストロボ装置マイコン２００に発光開始信号を伝達するＸ端子（シンクロ端子）を有する。
【００１５】
上記発光開始信号伝達用端子であるＸ端子は、フォーカルプレーンシャッタ（不図示）の先幕の走行が完了してアパーチャが全開になった時点でオンするスイッチ１０２のオンに伴ってオンとなり（すなわち、発光開始信号が供給され）、ストロボ発光が行われる。ただし、本実施例１では、このＸ端子は、後述するＸ端子の接続確認処理を行う場合にもオンされる。しかし、接続確認処理においては、たとえＸ端子がオンされても、ストロボ発光は禁止される。換言すれば、本実施例１では、カメラマイコン１００とストロボ装置マイコン２００との間の交信用端子であるＣＬＫ端子、ＤＣＳ端子、ＤＳＣ端子等を使用せずに、Ｘ端子を使用してストロボ装置マイコン２００に発光開始信号を伝達可能にしている。カメラマイコン１００のＸ＿ＯＮ端子はスイッチ１０２をオンにさせるためのハイレベルの信号を出力する端子である。
【００１６】
なお、上記の説明から明らかなように、Ｘ端子は、フォーカルプレーンシャッタの先幕の走行が完了してアパーチャが全開になったことを検知するスイッチ１０２を介してストロボ装置へ発光開始信号を供給することになる。これに対し、他の交信用端子は、カメラマイコン１００、又はストロボ装置マイコン２００から直接、データ等が送信されている点で、ストロボ装置へ発光開始信号を伝えるＸ端子とは個別に独立して形成されている。上記他の交信用端子とは、いうまでもない、ＣＬＫ端子、ＤＣＳ端子、ＤＳＣ端子、ＧＮＤ端子である。
【００１７】
ストロボ装置は、該ストロボ装置の動作制御を行うストロボ装置マイコン２００、電池２０１、電池２０１から出力される電圧を数百Ｖに昇圧する昇圧回路２０２、昇圧回路２０２で昇圧された電気エネルギーを蓄える主コンデンサ２０３を有する。さらには、主コンデンサ２０３に蓄えられた電気エネルギーを光に変換する放電管２０５、放電管２０５の発光開始時に数ｋＶの高電圧を印加して該放電管２０５の発光動作を励起させるトリガ部２０４を有する。さらには、放電管２０４の発光動作を制御するＩＧＢＴ等のスイッチング素子で構成された発光制御部２０６およびストロボ装置のモード等を表示する表示部２０７を有する。
【００１８】
ストロボ装置の表示部２０７に表示される内容としては、カメラ本体側の設定情報（絞り値、焦点距離情報）等の情報に基づく該ストロボ装置側での設定に関するものである。カメラ本体側の設定情報は、前記通信接続部１１０に具備される交信用端子を介して通信によりカメラマイコン１００から伝送される。
【００１９】
次に、カメラマイコン１００によるＸ端子の接続確認処理を、図２のフローチャートに基づいて説明する。
【００２０】
不図示のレリーズスイッチのボタンが第１ストローク位置まで押下されると、カメラマイコン１００は、ステップＳ１００１より動作を開始する。そして、まずステップＳ１００２にて、Ｘ端子の接続確認処理を開始する。この接続確認処理では、Ｘ端子接続確認の準備信号をＤＣＳ１端子を介してストロボ装置マイコン２００のＤＣＳ２端子に送信する。
【００２１】
次のステップＳ１００３では、カメラマイコン１００は、ストロボ装置マイコン２００との通信が正常に行われたか否かを判定する。この判定は、ストロボ装置マイコン２００からの応答信号の有無により行う。ストロボ装置マイコン２００との通信が正常に行われた場合はステップＳ１００４へ進み、Ｘ端子をＯＮするために、Ｘ＿ＯＮ端子からスイッチ１０２にハイレベルの信号を出力する。換言すれば、カメラマイコン１００は、スイッチ１０２を介してＸ端子に発光開始信号を送信する。
【００２２】
次のステップＳ１００５では、カメラマイコン１００は、Ｘ端子の接続確認信号をストロボ装置マイコン２００に送信し、ストロボ装置マイコン２００からの返信データを受信する。そして、次のステップＳ１００６にて、上記ステップＳ１００５で受信した返信データ（後述するフラグＸ＿ＦＬＧ）に基づいてＸ端子の接続が正常であるか否かを判定する。その結果、フラグＸ＿ＦＬＧが「１」であり、Ｘ端子の接続が正常であることを判定するとステップＳ１００７へ進み、ストロボ発光が可能である旨の情報をカメラ本体側の表示部１０１に表示（充電完了表示）する。そして、次のステップＳ１００８にて、Ｘ端子の接続確認処理を終了する。
【００２３】
一方、上記ステップＳ１００３にてストロボ装置マイコン２００との通信が正常に行われなかったと判定した場合や、上記ステップＳ１００６でフラグＸ＿ＦＬＧが「０」であり、Ｘ端子の接続が正常でないと判定した場合とする。この場合は、カメラマイコン１００は、いずれもステップＳ１００９へ進む。そして、ステップＳ１００９では、カメラ本体側の表示部１０１でのストロボ発光可能情報の表示、つまり充電完了表示を禁止して、ストロボ発光が不能状態である旨を使用者に警告する。
【００２４】
上記警告の後は直ちにステップＳ１０１０へ進み、交信用端子を介しての通信を中止し、次のステップＳ１００８にて、Ｘ端子の接続確認処理を終了する。
【００２５】
上記のように交信用端子を介する通信を中止することにより、該交信用端子を介してカメラ本体からストロボ装置に送信される絞り、焦点距離情報等のカメラ情報がストロボ装置側へ伝達されなくなる。よって、ストロボ装置側の表示部２０７に、絞り、焦点距離情報等のカメラ情報に基づくストロボ装置側での設定情報等が表示されないようになる。
【００２６】
また、接続不良時の通信中止処理を行うことで、例えばオートズーム設定時にはレンズの設定に関する情報が受信されなくなる為、オートズームが機能しなくなる。よって、接続不良であることを撮影者の聴覚にも訴えることになり、撮影者に接続不良状態にあることをより明確に警告できるものとなる。
【００２７】
発光開始信号伝達用端子であるＸ端子の接触不良が検知された場合の、交信用端子を介する通信の中止は、再度接続確認処理が実施されるまでその中止状態を継続する。この接続状態に関する一連の判定動作は、カメラの起動毎に、もしくはレリーズスイッチのボタンが第１ストローク位置まで押下される（撮影準備開始スイッチが操作される）毎に行う。また、この接続状態に関する一連の判定動作は、ストロボ装置の装着検出スイッチにより装着が検出される毎に行う。
【００２８】
上記のように、レリーズボタンの半押しやストロボ装置の装着といった、ストロボ装置を使用し始める状況毎に接続不良確認処理を行う。このことで、接続不良状態から復帰していれば、通信再開操作等の必要なく、ストロボ装置が使用できる状態になる。
【００２９】
なお、この接続状態に関する一連の判定動作は、ストロボ装置の発光モードが、前述の交信用端子を介しての通信によって発光を制御している場合は、該判定は実施しない。
【００３０】
次に、Ｘ端子の接続確認時におけるストロボ装置側の通信割り込み処理について、図３のフローチャートに基づいて行う。
【００３１】
ストロボ装置マイコン２００は、カメラマイコン１００からＣＬＫ２端子を介して１バイト分のクロック信号が入力されると、ステップＳ２００より通信割り込み処理を開始する。この通信割り込み処理では、ストロボ装置マイコン２０００は、まずステップＳ２００１にて、カメラマイコン１００からの通信データがＸ端子接続確認準備信号（図２のステップＳ１００２）であるか否かを判定する。その結果、Ｘ端子接続確認準備信号であれば、Ｘ端子接続確認モードに移行するためにステップＳ２００５へ進み、フラグＴＥＳＴ＿ＦＬＧに「１」を設定し、Ｘ端子の接続検知結果を示すフラグＸ＿ＦＬＧに「０」を設定する。そして、ステップＳ２００４にて、本通信割り込み処理を終了する。
【００３２】
一方、上記ステップＳ２００１にてカメラマイコン１００からの通信データがＸ端子接続確認準備信号でない場合は、ストロボ装置マイコン２００は、ステップＳ２００２へ処理を進める。そして、ステップＳ２００２では、カメラマイコン１００からの通信データが接続確認信号（図２のステップＳ１００５）であるか否かを判定する。その結果、接続確認信号であればステップＳ２００６へ進み、現時点でのフラグＸ＿ＦＬＧの値をカメラマイコン１００に返信し、Ｘ端子接続確認モードを解除するためにフラグＴＥＳＴ＿ＦＬＧに「０」を設定し、不タグＸ＿ＦＬＧに「０」を設定する。そして、ステップＳ２００８にて、本通信割り込み処理を終了する。
【００３３】
また、ステップＳ２００２にて接続確認信号でないと判定した場合はステップＳ２００３へ進み、他の通信処理を実行し、ステップＳ２００８にて、本通信割り込み処理を終了する。
【００３４】
次に、Ｘ端子を介して発光開始信号が送信されて来た場合のストロボ装置マイコン２００での割り込み処理について、図４のフローチャートに基づいて説明する。
【００３５】
ストロボ装置マイコン２００は、Ｘ端子を介して発光開始信号が送信されて来るとステップＳ２１００より動作を開始する。そして、まず、ステップＳ２１０１にて、フラグＴＥＳＴ＿ＦＬＧが「１」であるか否か、すなわち、Ｘ端子接続確認モードが設定されているか否かを判定する。その結果、Ｘ端子接続確認モードが設定されていなければステップＳ２１０２へ進み、通常の発光処理を行い、ステップＳ２１０３にて、本割り込み処理を終了する。
【００３６】
この通常の発光処理では、ストロボ装置マイコン２００は、ＳＰＫ端子（図１参照）にハイレベルの信号を出力し、発光制御部（ＩＧＢＴ）２０６を導通状態とする。これにより、主コンデンサ２０３の陽極→放電管２０５→発光制御部２０６→主コンデンサ２０３の陰極の放電ループが形成する。そして、ＴＲＩＧ端子（図１参照）にハイレベルの信号を出力してトリガ部２０４を動作させ、放電管２０５に高電圧を与えることにより、放電管２０５を発光させる。
【００３７】
図４に戻り、上記ステップＳ２１０１にてＸ端子接続確認モードが設定されていると判定した場合は、ストロボ装置マイコン２００は、ステップＳ２１０４へ進む。このステップＳ２１００４では、Ｘ端子接続確認モード中にＸ端子のＯＮを検出したこと、すなわちＸ端子が正常に接続されていることを意味するので、フラグＸ＿ＦＬＧに「１」を設定する。したがって、ステップＳ２１０２で実行されるような発光動作を行うことなく、ステップＳ２１０３にて、本割り込み処理を終了することになる。
【００３８】
なお、「１」に設定されたフラグＸ＿ＦＬＧは、Ｘ端子が正常に接続されている旨の情報、すなわちＸ端子上で発光開始信号を検出した旨の情報として、図３のステップＳ２００６でカメラマイコン１００に報知される。
【００３９】
このように本実施例１では、交信用端子（ＣＬＫ端子、ＤＣＳ端子等）を使用せずに、Ｘ端子を使用して、ストロボ装置マイコン２００に発光開始信号を伝達する場合においても、実際にストロボ発光させることなく、Ｘ端子の接続確認を可能にしている。
【００４０】
また、発光開始信号伝達用端子が接続不良と判定した場合は、交信用接続端子を介しての通信を中止する。これにより、カメラ情報（絞り、焦点距離情報等）がストロボ装置側に通信されなくなる為、ストロボ装置の表示部２０７には上記情報に基づくストロボ装置の設定に関する情報が表示されなくなる。また、オートズーム設定時にはオートズームが機能しなくなる。
【００４１】
以上のように、ストロボ発光を試行することなく接続確認処理を行うことのできる従来のカメラシステムにおいて、発光開始信号伝達用端子が接続不良と判定した場合には、既存の表示部や制御方法を用いる。これにより、撮影者に、より明確に接続不良であることを警告できるカメラシステムとすることができる。
【実施例２】
【００４２】
図５は本発明の実施例２に係るカメラ本体およびストロボ装置より成るカメラシステムの概略構成を示す構成図である。
【００４３】
図５では、図１に対し、放電管２０５での発光を反射してストロボ装置の照射角を決定するフレネルミラー１２０８が追加されている。さらには、放電管２０５とフレネルミラー１２０８との距離を変更する機構１２０９と、その機構を駆動する為のモータ１２１１と、モータ１２１１を制御するモータドライバ１２１０が追加されている。その他の構成は同様である。但し、図１と図５とでは同一の構成要素であっても別の符号を付している。
【００４４】
本発明の実施例２に係る接続確認処理について、図６のフローチャートを用いて説明する。図６において、ステップＳ３００１からステップＳ３００８までは、実施例１における図２のステップＳ１００１からステップＳ１００８と同様である。また、実施例２におけるＸ端子接続確認時のストロボ装置側の通信割り込み処理、Ｘ端子より発光開始信号が送信されて来た場合のストロボ装置マイコン１２００の処理（割り込み処理）も、実施例１と同様であり、これらの説明は省略する。
【００４５】
図２と図６とで異なる点は、発光開始信号伝達用端子の接続不良が検知され（ステップＳ３００６）、充電完了表示を禁止（ステップＳ３０１０）した後の処理（ステップＳ３０１１）である。このステップＳ３０１１では、交信用端子を介して予め規定された接続不良警告動作モードでの照射角変更ズーム動作命令を送信する。そして、照射角変更ズームを動作させることにより、積極的に接続不良を警告する。
【００４６】
図７は、接続不良警告モードにて照射角変更ズームを動作させる場合の動作を示すフローチャートである。
【００４７】
カメラ本体にて発光開始信号伝達用端子が接続不良であることを判定すると、カメラマイコン１１００は、ＤＣＳ１端子を介してストロボ装置マイコン１２００に接続不良警告モードでのズーム動作命令を送信する（図６のステップＳ３０１１）。
【００４８】
これに応答して、ストロボ装置マイコン１２００は、図７のステップＳ３１００より動作を開始する。そして、次のステップＳ３１０１およびステップＳ３１０２にて、狭照射角端と広照射角端とを行き交わせるズーム動作（照射角変更動作）を所定の回数繰り返させる。そして、所定の回数，上記のズーム動作を終了するとステップＳ３１０３へ進み、接続不良警告モード動作を終了する。
【００４９】
図８は、接続不良警告モードにて照射角変更ズームを動作させる場合の制御信号の一例を示す図である。
【００５０】
接続不良警告モードとして、カメラマイコン１１００は照射角設定ズームを狭照射角端に移動させる為に、最望遠の焦点距離情報をストロボ装置マイコン１２００に送信する。ストロボ装置マイコン１２００は該情報を受信すると、モータドライバ１２１０を制御してフレネルミラー１２０８等によって構成される反射ミラーユニットを狭照射角端の設定に移動する。
【００５１】
次に、所定の時間が経過してから、カメラマイコン１１００は照射角設定ズームを広照射角端に移動させる為に、最広角の焦点距離情報をストロボ装置マイコン１２００に送信する。ストロボ装置マイコン１２００は該情報を受信すると、モータドライバ１２１０を制御してフレネルレンズ１２０８等によって構成される反射ミラーユニットを広照射角端の設定に移動する。
【００５２】
上記の最狭照射角−最広照射角間の移動を所定の回数繰り返した後、接続不良警告モードでのズーム動作は終了とする。
【００５３】
接続不良警告モードでの照射角変更ズームの操作は、上記の様に逐一カメラから制御信号を送信する他に、該操作をストロボ装置のコマンドの一つとして実装し、接続不良検知時はカメラから該コマンドを呼び出して警告動作を行わせるとしてもよい。
【００５４】
また、実施例２の構成を持つストロボ装置においても、実施例１で示した接続不良時に交信用端子による通信を中止するという制御方法を取り得ることは言うまでもない。
【００５５】
以上の本実施例２では、接続不良の警告手段として、発光開始信号伝達用端子が接続不良と判定された場合は、交信用端子を介する通信により、予め規定された接続不良警告モードにてストロボ照射角の変更動作を行うようにしている。これにより、撮影者に、より明確に接続不良であることを警告できるカメラシステムとすることができる。
【実施例３】
【００５６】
図９は、本発明の実施例３に係るカメラシステムにおいて、接続不良警告モードにて照射角変更ズームを動作させる場合の動作を示すフローチャートである。なお、カメラ本体およびストロボ装置より成るカメラシステムの概略構成は図５と同様であるものとする。また、  本発明の実施例３に係るストロボ装置は、交信用端子を介しての通信によっても、発光の制御が可能であるものとする。
【００５７】
Ｘ端子の接続確認処理において、本実施例３と上記の実施例２とで異なる点は、図６のステップＳ２０１０に示す接続不良検知後の接続不良を警告する動作の内容である。つまり、本実施例３では、接続不良が検知された場合には、交信用端子を介して予め規定された接続不良警告動作モードでのストロボ発光命令を送信して発光動作させることにより、積極的に接続不良を警告するものである。
【００５８】
図９は、接続不良警告モードにてストロボ装置を発光させる場合の動作を示すフローチャートである。
【００５９】
カメラ本体にて発光開始信号伝達用端子が接続不良であることを判定すると、カメラマイコン１１００は、ＤＣＳ１端子を介してストロボ装置マイコン１２００に接続不良警告モードでのズーム動作命令を送信する（図６のステップＳ３０１１）。
【００６０】
これに応答して、ストロボ装置マイコン１２００は、図９のステップＳ３３００より動作を開始する。そして、次のステップＳ３３０１およびステップＳ３３０２にて、周期的に短時間の発光を所定の回数繰り返させる。そして、所定の回数、上記の発光動作を終了するとステップＳ３３０３へ進み、接続不良警告モード動作を終了する。
【００６１】
図１０は、接続不良警告モードでの発光制御の一例を示す図である。
【００６２】
接続不良警告モードとして、周期的に短時間の発光を所定の回数繰り返させるために、カメラマイコン１１００は、ＤＣＳ１端子を介して発光制御信号をストロボ装置マイコン１２００に送信する。ストロボ装置マイコン１２００は、発光命令を受信すると、ＳＰＫ端子をハイレベルにして放電管１２０５の電極間に電圧を印加する。そして、ＴＲＩＧ端子をハイレベルにして放電管１２０５を発光させる。カメラマイコン１１００が発光制御信号を所定の時間間隔で所定の回数繰り返して送信した後、接続不良警告モードでの発光は終了とする。
【００６３】
なお、本実施例３では、接続不良警告モードでの発光として放電管１２０５を使用した例を挙げたが、ストロボ装置の合焦確認用赤色ＬＥＤ（不図示）の発光を使用してもよい。
【００６４】
以上の本実施例３では、接続不良の警告手段として、発光開始信号伝達用端子が接続不良と判定された場合は、交信用端子を介する通信により、予め規定された接続不良警告モードにて発光動作を行うようにしている。これにより、撮影者に、より明確に接続不良であることを警告できるカメラシステムとすることができる。
【００６５】
（本発明と実施例の対応）
通信接続端子１１０内の交信用端子であるＣＬＫ端子、ＤＣＳ端子、ＤＳＣ端子が、本発明の、接続されるストロボ装置との間で情報の交信を行う為の第１端子に相当する。また、通信接続端子１１０内の発光開始信号用端子であるＸ端子が、本発明の、ストロボ装置に発光開始信号を送信する為の第２端子に相当する。また、表示部１０１，１１０１が本発明の表示手段に相当する。また、カメラマイコン１００，１１００が、本発明の、第２端子を介してストロボ装置に発光開始信号を送信して、当該撮像装置とストロボ装置との間の接続確認処理を実行する制御手段に相当する。また、図２のステップＳ１０１０の動作や、図７のステップＳ３１０１，Ｓ３１０２の動作や、図９のステップＳ３３０１，Ｓ３３０２の動作を行う部分が、本発明の、予め規定された接続不良警告動作に相当する。
【００６６】
上記の各実施例では、撮像装置であるカメラに適用した例を述べている。しかし、これに限定されず、接続確認処理の結果、接続不良を検知した場合は、表示手段にて警告表示を行うとともに、予め規定された接続不良警告動作を行わせる撮像装置の制御方法としても良い。このような撮像装置の制御方法とした場合にも、同様の効果を得ることができるものである。
【図面の簡単な説明】
【００６７】
【図１】本発明の実施例１に係るカメラシステムの概略構成を示すブロック図である。
【図２】本発明の実施例１に係るカメラ本体のＸ端子接続確認処理を示すフローチャートである。
【図３】本発明の実施例１に係るストロボ装置の通信割り込み処理を示すフローチャートである。
【図４】本発明の実施例１においてＸ端子より発光開始信号が送信されて来た場合のストロボ装置の処理を示すフローチャートである。
【図５】本発明の実施例２に係るカメラシステムの概略構成を示すブロック図である。
【図６】本発明の実施例２に係るカメラ本体のＸ端子接続確認処理を示すフローチャートである。
【図７】本発明の実施例２に係るカメラ本体のＸ端子接続不良警告処理を示すフローチャートである。
【図８】本発明の実施例２に係るカメラ本体のＸ端子接続不良警告動作の制御信号の一例である。
【図９】本発明の実施例３に係るカメラ本体のＸ端子接続不良警告処理を示すフローチャートである。
【図１０】本発明の実施例３に係るに係るカメラ本体のＸ端子接続不良警告動作の制御信号の一例である。
【符号の説明】
【００６８】
１００      カメラマイコン
１０１      表示部
１１０      通信接続部
２００      ストロボ装置マイコン
２０５      放電管
２０６      発光制御部
２０７      表示部
１１００    カメラマイコン
１１０１    表示部
１１１０    通信接続部
１２００    ストロボ装置マイコン
１２０５    放電管
１２０６    発光制御部
１２０７    表示部
１２０８    フレネルミラー
１２０９    放電管とフレネルミラーの距離を変更する機構
１２１０    モータドライバ
１２１１    モータ
【図１】
2009145713.tif 000003
【図２】
2009145713.tif 000004
【図３】
2009145713.tif 000005
【図４】
2009145713.tif 000006
【図５】
2009145713.tif 000007
【図６】
2009145713.tif 000008
【図７】
2009145713.tif 000009
【図８】
2009145713.tif 000010
【図９】
2009145713.tif 000011
【図１０】
2009145713.tif 000012